(57)【要約】【課題】包装箱に対する保証書の取り出しや再収納を容易に行なえるようにする。【解決手段】段ボール板を材料として作られた平面形状が矩形の包装箱１の天面積と同じ面積の大きさの２枚の上蓋形成用フラップ７間で保証書が入っている袋１２を挟み、前記袋１２の一端は側板２の外面に貼り付けられるように構成され、前記袋１２を挟む位置にある前記２枚の上蓋形成用フラップ７の内、内側に位置する一方の上蓋形成用フラップ７の一端部側には前記袋１２よりもやや大きめの開口部１３が形成されており、また前記袋１２を挟む位置にある外側に位置する他方の上蓋形成用フラップ７の一端部側には端面から前記袋１２の幅よりもやや大きめの幅で２本の互いに平行なミシン目状のカット線１４が前記開口部１３と一部が重なるように形成されているとともに、前記２本のカット線１４の端部間には折曲線１５が形成されている。【選択図】　　　　図５
2004123194.tif 000002
【特許請求の範囲】
【請求項１】
段ボール板を材料として作られ、２組の対向側板と、この対向側板の下端に連設された底板形成用フラップと、この対向側板の上端に連設された上蓋形成用フラップとを備え、２組の対向側板の内、一方の対向側板の上端に連設された小さな上蓋形成用フラップは先に折り曲げられ、続いて２組の対向側板の内、他方の対向側板の上端に連設され包装箱の天面積と同じ面積の大きさの２枚の上蓋形成用フラップを折り曲げて重ねることによって３重構造の上蓋が形成されるようにした平面形状が矩形の包装箱であって、前記包装箱の天面積と同じ面積の大きさの２枚の上蓋形成用フラップの内、先に折り曲げられる一方の上蓋形成用フラップの上に保証書が入っている封筒状の袋が載せられ、その上から他方の上蓋形成用フラップが閉じられて保証書が入っている袋を前記２枚の上蓋形成用フラップ間で挟み、保証書が入っている袋の一端は前記２枚の上蓋形成用フラップ間から突出し、側板の外面に貼り付けられるように構成され、前記保証書が入っている袋を挟む位置にある前記２枚の上蓋形成用フラップの内、内側に位置する一方の上蓋形成用フラップの一端部側には保証書が入っている袋よりもやや大きめの開口部が形成されており、また保証書が入っている袋を挟む位置にある外側に位置する他方の上蓋形成用フラップの一端部側には端面から保証書が入っている袋の幅よりもやや大きめの幅で２本の互いに平行なミシン目状のカット線が下側に位置する前記開口部と一部が重なるように形成されているとともに、前記２本のカット線の端部間には折曲線が形成されていることを特徴とする包装箱。
【請求項２】
カット線はジグザグ状に形成されていることを特徴とする請求項１記載の包装箱。
【発明の詳細な説明】
【０００１】
【発明の属する技術分野】
本発明は段ボール板を材料として作られた包装箱に関するものである。
【０００２】
【従来の技術】
従来から、家電製品などの製品を販売時、販売店レジで保証書が入っている袋を包装箱から取り出し、保証書に販売店名や日付などを記入する必要がある。そのため、製品を収納する包装箱は一旦開封し、袋から保証書を取り出して必要事項を記入した後、保証書を袋に入れた状態でその袋を再度包装箱に収納し、包装箱を再封緘していたのであるが、再封緘するのに手間がかかるという問題があった。
【０００３】
そこで、このような問題を解決するために、実公平６−３５９２９号公報に開示されているように、天面が内フラップと外フラップの二重構成である段ボール製の包装箱において、外フラップの側縁から奥に向けた平行する２本のスリットで折曲げ片を設け、該折曲げ片を折曲げて形成される開口部の真下に位置させて内フラップの接続部から、該接続部は切り離さないようにした略コ字状のスリットによる折曲げ片を、外フラップの折曲げ片と同方向に内フラップに設け、この内フラップの折曲げ片で保証書の端部を挟み込む挟み込み保持部を形成した包装箱が知られている。
【０００４】
【特許文献１】
実公平６−３５９２９号公報
【０００５】
【発明が解決しようとする課題】
しかしながら、上記実公平６−３５９２９号公報に開示されているような包装箱において、販売店で保証書に販売店名や日付などを記入するために保証書を内フラップと外フラップとの間から引き抜いて取り出す場合は外フラップの折曲げ片を持ち上げて開いた状態で内フラップの折曲げ片を持ち上げ、かかる状態で保証書が入っている袋を内フラップと外フラップとの間から引き抜き、保証書に販売店名や日付などを記入した後、保証書を袋に入れた状態で再び内フラップの折曲げ片に挟み込ませて外フラップの折曲げ片をもとの水平に戻している。つまり、この実公平６−３５９２９号公報に開示されている包装箱にあっては保証書を包装箱から取り出したり再収納するのに外フラップの折曲げ片を持ち上げて開いた状態で内フラップの折曲げ片を持ち上げなければならず、そのために両手が塞がってしまい、保証書を掴むためには片手で両フラップの折曲げ片を持ち上げた状態を保持しなければならず、作業性が悪いという問題があった。
【０００６】
本発明はこのような課題を解決するもので、販売店レジで保証書を取り出す際、包装箱を開封したり再封緘する必要をなくし、包装箱に対する保証書の取り出しや再収納を容易に行なえるようにすることを目的とするものである。
【０００７】
【課題を解決するための手段】
この課題を解決するために本発明は、段ボール板を材料として作られ、２組の対向側板と、この対向側板の下端に連設された底板形成用フラップと、この対向側板の上端に連設された上蓋形成用フラップとを備え、２組の対向側板の内、一方の対向側板の上端に連設された小さな上蓋形成用フラップは先に折り曲げられ、続いて２組の対向側板の内、他方の対向側板の上端に連設され包装箱の天面積と同じ面積の大きさの２枚の上蓋形成用フラップを折り曲げて重ねることによって３重構造の上蓋が形成されるようにした平面形状が矩形の包装箱であって、前記包装箱の天面積と同じ面積の大きさの２枚の上蓋形成用フラップの内、先に折り曲げられる一方の上蓋形成用フラップの上に保証書が入っている封筒状の袋が載せられ、その上から他方の上蓋形成用フラップが閉じられて保証書が入っている袋を前記２枚の上蓋形成用フラップ間で挟み、保証書が入っている袋の一端は前記２枚の上蓋形成用フラップ間から突出し、側板の外面に貼り付けられるように構成され、前記保証書が入っている袋を挟む位置にある前記２枚の上蓋形成用フラップの内、内側に位置する一方の上蓋形成用フラップの一端部側には保証書が入っている袋よりもやや大きめの開口部が形成されており、また保証書が入っている袋を挟む位置にある外側に位置する他方の上蓋形成用フラップの一端部側には端面から保証書が入っている袋の幅よりもやや大きめの幅で２本の互いに平行なミシン目状のカット線が下側に位置する前記開口部と一部が重なるように形成されているとともに、前記２本のカット線の端部間には折曲線が形成されていることを要旨とするものである。また、カット線はジグザグ状に形成されていることを要旨とするものである。
【０００８】
この構成により、封緘状態の包装箱において上側に位置する上蓋形成用フラップの２本のカット線をカットしてカット線間の板部を上方に折り曲げ、かかる状態で保証書が入っている封筒状の袋を上蓋形成用フラップから引き抜き、袋の一端を包装箱の側板との貼り付け部から剥がして袋を包装箱から引き離し、その状態で袋から保証書を取り出して販売店名や日付などを記入することができる。販売店名や日付などが記入された保証書は再度袋の中に入れられ、その袋を前記上方に開かれたカット線間の板部の下側から前記上側に位置する上蓋形成用フラップの下側に重なる上蓋形成用フラップの開口部内に収まるように差し込み、カット線間の板部を閉じることにより保証書が入っている袋の包装箱への再収納が終了することになり、保証書の取り出しや再収納を容易に行なうことができる。特に、前記カット線をジグザグ状に形成することにより、カットした後でのカット線間の板部の閉じられた状態での浮き上がりがなく、粘着テープなどを使用する必要がない。
【０００９】
【発明の実施の形態】
以下、本発明の一実施の形態について、図面に基づいて説明する。
【００１０】
図１〜図６において、１は段ボール板を材料として作られ平面形状が長方形（もしくは正方形）などの矩形の包装箱であって、２組の対向側板２，２、３，３と、この対向側板２，２、３，３の下端に連設された底板形成用フラップ４，４、５，５と、この対向側板２，２、３，３の上端に連設された上蓋形成用フラップ６，６、７，７とを備えている。具体的には、２組の対向側板２，２、３，３の内、短辺側の対向側板２，２の下端に連設された小さな底板形成用フラップ４，４は先に折り曲げられ、続いて２組の対向側板２，２、３，３の内、長辺側の対向側板３，３の下端に連設されて先端が互いに突き合わされるように閉じられる底板形成用フラップ５，５を折り曲げることによって底板形成用フラップ４，４と底板形成用フラップ５，５とで２重構造の底板が形成されるようになっている。なお、前記底板形成用フラップ５，５の突き合わせ部は封緘テープ８により止められる。また、上蓋形成用フラップ６，６、７，７については、２組の対向側板２，２、３，３の内、短辺側の対向側板２，２の上端に連設された小さな上蓋形成用フラップ６，６は先に折り曲げられ、続いて２組の対向側板２，２、３，３の内、長辺側の対向側板３，３の上端に連設され包装箱１の天面積と同じ面積の大きさの上蓋形成用フラップ７，７を折り曲げて重ねることによって上蓋形成用フラップ６，６と上蓋形成用フラップ７，７とで３重構造の上蓋が形成されるようになっている。なお、前記上蓋形成用フラップ７，７の内、上側に位置する上蓋形成用フラップ７は遊端部が長辺側の側板３に対し封緘テープ９により止められる。ところで、上蓋が閉じられる前に包装箱１の中に被包装物１０が発泡スチロール製の緩衝材１１により保護された状態で収納されるとともに、前記上蓋形成用フラップ７，７の内、先に折り曲げられる一方の上蓋形成用フラップ７の上に保証書が入っている封筒状の袋１２が載せられ、その上から他方の上蓋形成用フラップ７が閉じられて保証書が入っている袋１２を２枚の上蓋形成用フラップ７，７間で挟むようにしてある。保証書が入っている袋１２の一端は２枚の上蓋形成用フラップ７，７間から突出し、短辺側の一方の側板２の外面に貼り付けられる。
【００１１】
本実施の形態では保証書が入っている袋１２を挟む位置にある前記一方の上蓋形成用フラップ７の一端部側には保証書が入っている袋１２よりもやや大きめの開口部１３が切り抜きにより形成されており、また保証書が入っている袋１２を挟む位置にある前記他方の上蓋形成用フラップ７の一端部側には端面から保証書が入っている袋１２の幅よりもやや大きめの幅で２本の互いに平行なミシン目状のカット線１４，１４が下側に位置する前記開口部１３と一部が重なるように形成されているとともに、この２本のカット線１４，１４の端部間には折曲線１５が形成されている。前記カット線１４，１４は直線状でも良いが、図面に示す実施の形態ではジグザグ状に形成されている。なお、前記他方の上蓋形成用フラップ７の一端部側の端面には２本のカット線１４，１４の端部間の中央に半円形の切り欠き部１６が形成されている。さらに図中、１７は前記長辺側の各側板３に形成された把手孔である。
【００１２】
上記構成において、包装箱１の中に収納される被包装物１０の保証書が入っている封筒状の袋１２は、包装箱１の中に被包装物１０が収納された後折り曲げられる小さな上蓋形成用フラップ６，６の上に重なる前記一方の上蓋形成用フラップ７の一端部側においてこの一方の上蓋形成用フラップ７の上に重なるように載せられて袋１２の一端は短辺側の一方の側板２の外面に貼り付けられる。かかる状態で他方の上蓋形成用フラップ７が閉じられて保証書が入っている袋１２を２枚の上蓋形成用フラップ７，７間で挟み、他方の上蓋形成用フラップ７の遊端部が長辺側の側板３に対し封緘テープ９により止められることにより包装が完了する。
【００１３】
以上のように包装された被包装物１０の販売時、販売店レジで保証書が入っている袋１２を包装箱１から取り出し、保証書に販売店名や日付などを記入する必要がある。そのとき、前記他方の上蓋形成用フラップ７の２本のカット線１４，１４をカットしてカット線１４，１４間の板部を折曲線１５で上方に折り曲げ、かかる状態で露出した保証書が入っている封筒状の袋１２を２枚の上蓋形成用フラップ７，７間から引き抜き、袋１２の一端を前記短辺側の一方の側板２の外面との貼り付け部から剥がして袋１２を包装箱１から引き離し、その状態で袋１２から保証書を取り出して販売店名や日付などを記入すれば良い。販売店名や日付などが記入された保証書は再度袋１２の中に入れられ、その袋１２を前記上方に開かれたカット線１４，１４間の板部の下側から前記一方の上蓋形成用フラップ７の開口部１３内に収まるように差し込み、カット線１４，１４間の板部を閉じることにより保証書が入っている袋１２の包装箱１への再収納が終了する。なお、カット線１４，１４間の板部は閉じられた状態において前記短辺側の一方の側板２に対して粘着テープを用いて止めておいても良いが、図面に示す実施の形態のようにカット線１４，１４をジグザグ状に形成しておくことにより、閉じられた状態での浮き上がりがなく、粘着テープの使用が省略できる。
【００１４】
【発明の効果】
以上のように本発明によれば、封緘状態の包装箱において上側に位置する上蓋形成用フラップの２本のカット線をカットしてカット線間の板部を上方に折り曲げ、かかる状態で保証書が入っている封筒状の袋を上蓋形成用フラップから引き抜き、袋の一端を包装箱の側板との貼り付け部から剥がして袋を包装箱から引き離し、その状態で袋から保証書を取り出して販売店名や日付などを記入することができる。販売店名や日付などが記入された保証書は再度袋の中に入れられ、その袋を前記上方に開かれたカット線間の板部の下側から前記上側に位置する上蓋形成用フラップの下側に重なる上蓋形成用フラップの開口部内に収まるように差し込み、カット線間の板部を閉じることにより保証書が入っている袋の包装箱への再収納が終了することになり、保証書の取り出しや再収納を容易に行なうことができる。特に、前記カット線をジグザグ状に形成することにより、カットした後でのカット線間の板部の閉じられた状態での浮き上がりがなく、粘着テープなどを使用する必要がない。
【図面の簡単な説明】
【図１】本発明の一実施の形態における包装箱の展開図である。
【図２】同包装箱に被包装物を収納した状態を示す斜視図である。
【図３】同包装箱による包装完了直前の状態を示す斜視図である。
【図４】同包装箱による包装完了状態を示す斜視図である。
【図５】（Ａ）〜（Ｃ）は同包装箱から保証書を取り出す状態を示す要部拡大斜視図である。
【図６】（Ａ）〜（Ｃ）は同包装箱に保証書を再収納する状態を示す要部拡大斜視図である。
【符号の説明】
１　　　　　　　包装箱
２，３　　　　　側板
４，５　　　　　底板形成用フラップ
６，７　　　　　上蓋形成用フラップ
８，９　　　　　封緘テープ
１０　　　　　　　被包装物
１１　　　　　　　緩衝材
１２　　　　　　　袋
１３　　　　　　　開口部
１４　　　　　　　カット線
１５　　　　　　　折曲線
【図１】
2004123194.tif 000003
【図２】
2004123194.tif 000004
【図３】
2004123194.tif 000005
【図４】
2004123194.tif 000006
【図５】
2004123194.tif 000007
【図６】
2004123194.tif 000008